(57)【特許請求の範囲】
【請求項１】
パネルを有し、前記パネルに開口部が形成された収納箱と、
前記開口部を覆う蓋と、
前記蓋に設けられ、前記開口部を覆った状態の前記蓋を保持する係合位置と、前記蓋の保持が解除される解除位置との間で前記蓋に対して変位する掛け金と、
前記収納箱内に設けられ、前記掛け金が前記係合位置から前記解除位置へ変位するときに、前記蓋が前記パネルから迫り出すように前記掛け金を案内する案内部材とを備え、
前記蓋は、前記収納箱から迫り出すことにより、前記パネルに沿った方向へ収納箱に対してスライド可能となることを特徴とするエレベータのかご操作盤。
【請求項２】
前記蓋は、前記収納箱から迫り出すことにより、前記パネルに沿って収納箱に対して下方へスライド可能となることを特徴とする請求項１に記載のエレベータのかご操作盤。
【発明の詳細な説明】
【技術分野】
【０００１】
この発明は、操作装置を収納する収納箱を備えたエレベータのかご操作盤に関する。
【背景技術】
【０００２】
従来、保守点検時に操作される保守点検用スイッチを収納する収納箱がかごの壁に設けられたエレベータのかご操作盤が知られている。収納箱には、かご内から作業者が保守点検用スイッチを操作できるように開口部が形成されている。また、収納箱には、通常運転時に乗客により操作装置が操作されることを防止するために開口部を開閉する蓋が設けられている。蓋が収納箱に対して所定の距離だけ幅方向にスライドした後に、収納箱に設けられ上下方向に延びたピンを中心に蓋が回動することにより、開口部が開閉されるようになっている（例えば、特許文献１参照）。
【先行技術文献】
【特許文献】
【０００３】
【特許文献１】特許第３９６６７１６号公報
【発明の概要】
【発明が解決しようとする課題】
【０００４】
しかしながら、意匠性を向上させるために、例えば、蓋と、収納箱が設けられた壁とを同一平面上に配置する場合には、蓋を収納箱に対して幅方向にスライドさせようとしても、蓋が壁に当たってしまうので、収納箱の開口部を開閉することができないという問題点があった。
【０００５】
この発明は、意匠性を向上させることができるとともに、収納箱の開口部を開閉することができるエレベータのかご操作盤を提供するものである。
【課題を解決するための手段】
【０００６】
この発明に係るエレベータのかご操作盤は、パネルを有し、前記パネルに開口部が形成された収納箱と、前記開口部を覆う蓋と、前記蓋に設けられ、前記開口部を覆った状態の前記蓋を保持する係合位置と、前記蓋の保持が解除される解除位置との間で前記蓋に対して変位する掛け金と、前記収納箱内に設けられ、前記掛け金が前記係合位置から前記解除位置へ変位するときに、前記蓋が前記パネルから迫り出すように前記掛け金を案内する案内部材とを備え、前記蓋は、前記収納箱から迫り出すことにより、前記パネルに沿った方向へ収納箱に対してスライド可能となる。
【発明の効果】
【０００７】
この発明に係るエレベータのかご操作盤によれば、掛け金が係合位置から解除位置へ変位するときに、掛け金が案内部材に案内されて蓋がパネルから迫り出し、蓋がパネルに沿った方向へ収納箱に対してスライド可能となるので、意匠性を向上させることができるとともに、収納箱の開口部を開閉することができる。
【図面の簡単な説明】
【０００８】
【図１】この発明の実施の形態１に係るエレベータのかご操作盤が取り付けられた壁を示す斜視図である。
【図２】図１の保守点検時におけるエレベータのかご操作盤を示す斜視図である。
【図３】図１のエレベータのかご操作盤の要部を示す正面図である。
【図４】図３のＩＶ−ＩＶ線に沿った矢視断面図である。
【図５】図４のＶ−Ｖ線に沿った矢視断面図である。
【図６】図３の掛け金が係合位置にあるときのエレベータのかご操作盤を示す正面図である。
【図７】図６のＶＩＩ−ＶＩＩ線に沿った矢視断面図である。
【図８】図６のＶＩＩＩ−ＶＩＩＩ線に沿った矢視断面図である。
【図９】図６の蓋を収納箱に対して下方へスライドさせたときのエレベータのかご操作盤を示す正面図である。
【図１０】図９のＸ−Ｘ線に沿った矢視断面図である。
【発明を実施するための形態】
【０００９】
実施の形態１．
図１はこの発明の実施の形態１に係るエレベータのかご操作盤を示す斜視図、図２は図１の保守点検時におけるエレベータのかご操作盤を示す斜視図である。図において、エレベータのかごの壁は、側壁１と、側壁１に隣接し、かご出入口の側面を形成する袖壁２とを備えている。袖壁２には、収納箱３が取り付けられている。収納箱３は、開口部３ａが形成されかごの内側に面するパネル３ｂと、パネル３ｂと対向した後板３ｃと、パネル３ｂおよび後板３ｃとを接続した側板３ｄとを有している。パネル３ｂは、袖壁２の前面と同一平面上に配置されている。
【００１０】
収納箱３には、通常運転時に乗客によって操作される複数の操作釦４と、かごが位置する階の数字を表示する表示装置５と、保守点検時に作業者によって操作される複数の保守点検用スイッチ６と、開口部３ａを開閉する蓋７とが取り付けられている。表示装置５は、操作釦４よりも上方に配置されている。保守点検用スイッチ６は、操作釦４よりも下方に配置されている。保守点検用スイッチ６は、収納箱３内に収納されている。保守点検用スイッチ６は、開口部３ａが開いているときに開口部３ａから露出するように配置されている。保守点検用スイッチ６が操作されることにより、かごは目的の階に向かって昇降する等の所定の動作をする。
【００１１】
図３は図１のエレベータのかご操作盤の要部を示す正面図、図４は図３のＩＶ−ＩＶ線に沿った矢視断面図、図５は図３のＶ−Ｖ線に沿った矢視断面図である。図において、蓋７は、蓋本体７ａと、蓋本体７ａの幅方向両端部の裏面に設けられた側板部７ｂと、各側板部７ｂに設けられ、互いに先端部が対向するように側板部７ｂから延びたフック部７ｃと、蓋本体７ａの上端部の裏面に固定された裏板７ｄとを有している。裏板７ｄの上部は、蓋本体７ａから上方へ突出している。蓋７が開口部３ａを閉じているときに、蓋本体７ａはパネル３ｂと同一平面上に配置される。また、蓋７が開口部３ａを閉じているときに、蓋本体７ａはパネル３ｂに隣接する。蓋７が開口部３ａを閉じているときに、裏板７ｄはパネル３ｂの裏面に当接する。
【００１２】
蓋本体７ａの下端部には、シリンダ錠８が取り付けられている。シリンダ錠８には、掛け金９が取り付けられている。掛け金９は、蓋本体７ａの裏面側に配置されている。シリンダ錠８の鍵穴には、キー１０が挿入可能となっている。キー１０がシリンダ錠８の鍵穴に挿入された状態で、キー１０が回動することにより、連動して、掛け金９が蓋７に対して回動する。
【００１３】
掛け金９は、収納箱３を正面から視たときに、シリンダ錠８よりも下方に位置する係合位置（図３）と、この係合位置からシリンダ錠８を中心に時計回りに９０度回転し、シリンダ錠８よりも左側に位置する解除位置（図６）との間で変位する。掛け金９は、シリンダ錠８に取り付けられ蓋本体７ａに沿って延びた基部９ａと、基部９ａのシリンダ錠８から離れた部分に一体に形成された傾斜部９ｂとを有している。基部９ａは、板形状であり、蓋本体７ａと平行して配置されている。蓋７が開口部３ａを閉じており掛け金９が係合位置にあるときの基部９ａは、シリンダ錠８から鉛直方向下方に延びている。蓋７が開口部３ａを閉じており掛け金９が係合位置にあるときの傾斜部９ｂは、収納箱３を正面から視たときに、基部９ａの左側に位置している。傾斜部９ｂは、基部９ａよりも蓋本体７ａに近づくように基部９ａに対して傾斜している。蓋７が開口部３ａを閉じており掛け金９が係合位置あるときに、傾斜部９ｂはパネル３ｂの裏面に係合する。これにより、開口部３ａを閉じた状態の蓋７が保持される。また、掛け金９が解除位置にあるときに、傾斜部９ｂとパネル３ｂの裏面との係合が解除される。
【００１４】
収納箱３内には、蓋７が開口部３ａを閉じている状態で掛け金９が係合位置から解除位置へ変位するときに掛け金９を案内する摺動板（案内部材）１１と、蓋７が開口部３ａを開閉するときに蓋７を案内するガイド板１２とが設けられている。
【００１５】
摺動板１１は、収納箱３の後板３ｃに重ねて固定された板形状の基部１１ａと、基部１１ａに一体に形成され基部１１ａから開口部３ａに向かって突出した突出部１１ｂとを有している。突出部１１ｂは、収納箱３を正面から視たときに、基部１１ａの左側に位置している。突出部１１ｂは、収納箱３を幅方向から視たときに、上側の部分が下側の部分よりも開口部３ａに近づくように傾斜した傾斜面１１ｃを有している。蓋７が開口部３ａを閉じている状態で掛け金９が係合位置から解除位置へ変位するときに、掛け金９の傾斜部９ｂが摺動板１１の傾斜面１１ｃを摺動して、掛け金９が摺動板１１に案内される。
【００１６】
図６は図３の掛け金９が係合位置にあるときのエレベータのかご操作盤を示す正面図、図７は図６のＶＩＩ−ＶＩＩ線に沿った矢視断面図、図８は図６のＶＩＩＩ−ＶＩＩＩ線に沿った矢視断面図である。蓋７が開口部３ａを閉じている状態で掛け金９が係合位置から解除位置へ変位することにより、掛け金９が摺動板１１により案内されて、蓋７の下端部が収納箱３のパネル３ｂから迫り出す。
【００１７】
図９は図６の蓋７を収納箱３に対して下方へスライドさせたときのエレベータのかご操作盤を示す正面図、図１０は図９のＸ−Ｘ線に沿った矢視断面図である。ガイド板１２は、収納箱３の後板３ｃの幅方向両端部に固定されている。各ガイド板１２は、上下方向に延びている。各ガイド板１２には、上下方向に延びたガイド孔１２ａが形成されている。ガイド孔１２ａには、蓋７のフック部７ｃが挿入されている。蓋７がパネル３ｂに沿って収納箱３に対して下方へスライドするときには、フック部７ｃがガイド孔１２ａに沿って移動する。これにより、蓋７がガイド板１２に案内される。蓋７により開口部３ａを閉じるときも、同様にして、蓋７がガイド板１２に案内される。
【００１８】
なお、エレベータのかご操作盤は、収納箱３と、操作釦４と、表示装置５と、保守点検用スイッチ６と、蓋７と、シリンダ錠８と、掛け金９と、摺動板１１と、ガイド板１２とを備えている。
【００１９】
次に、保守点検作業の手順について説明する。保守点検を行う場合には、まず、作業者は、キー１０をシリンダ錠８に挿入し、キー１０を時計回りに回動する。これにより、掛け金９が係合位置から解除位置へ変位し、蓋７の下端部が開口部３ａから迫り出す。その後、蓋７が自重により収納箱３に対して下方へスライドすることにより、開口部３ａが開く。作業者は、開口部３ａから露出した保守点検用スイッチ６を操作して、保守点検作業を行う。
【００２０】
保守点検作業が終了した後、蓋７をパネル３ｂに沿って収納箱３に対して上方へスライドさせ、蓋７の裏板７ｄを収納箱３のパネル３ｂの裏面に当接させながら、キー１０を反時計回りに回動させる。これにより、掛け金９が解除位置から係合位置へ変位し、掛け金９の傾斜部９ｂがパネル３ｂの裏面に当接し、開口部３ａを閉じた状態の蓋７が保持される。
【００２１】
以上説明したように、この発明の実施の形態１に係るエレベータのかご操作盤によれば、掛け金９が係合位置から解除位置へ変位するときに、掛け金９が摺動板１１に案内されて蓋７がパネル３ｂから迫り出し、蓋７がパネル３ｂに沿った方向へ収納箱３に対してスライド可能となるので、意匠性を向上させるとともに、収納箱３の開口部３ａを開閉することができる。
【００２２】
また、蓋７は、収納箱３から迫り出すことにより、パネル３ｂに沿って収納箱３に対して下方へスライド可能となるので、蓋７を収納箱３から迫り出させることにより、自重により蓋７が下方向へ移動して、開口部３ａを容易に開くことができる。
【００２３】
また、掛け金を係合位置から解除位置へ変位させることにより、蓋７が収納箱３から迫り出すので、作業者は、開口部３ａを容易に開くことができる。
【００２４】
なお、上記実施の形態１では、かご操作盤が袖壁２に設けられた構成について説明したが、かご操作盤が側壁１に設けられた構成であってもよい。
【００２５】
また、上記実施の形態１では、蓋７が収納箱３に対して下方へ移動することにより、開口部３ａが開く構成について説明したが、蓋７が収納箱３に対して上方へ移動することにより、開口部３ａが開く構成であってもよく、また、蓋７が収納箱３に対して幅方向へ移動することにより、開口部３ａが開く構成であってもよい。
【００２６】
また、上記実施の形態１では、掛け金９が傾斜部９ｂを有し、摺動板１１が傾斜面１１ｃを含んだ突出部１１ｂを有した構成について説明したが、掛け金９が傾斜部９ｂを有している場合には、摺動板１１の突出部１１ｂには傾斜面１１ｃがなくてもよく、また、摺動板１１の突出部１１ｂに傾斜面１１ｃがある場合には、掛け金９は傾斜部９ｂを有さなくてもよい。
【符号の説明】
【００２７】
１  側壁、２  袖壁、３  収納箱、３ａ  開口部、３ｂ  パネル、３ｃ  後板、３ｄ  側板、４  操作釦、５  表示装置、６  保守点検用スイッチ（操作装置）、７  蓋、７ａ  蓋本体、７ｂ  側板部、７ｃ  フック部、７ｄ  裏板、８  シリンダ錠、９  掛け金、９ａ  基部、９ｂ  傾斜部、１０  キー、１１  摺動板（案内部材）、１１ａ  基部、１１ｂ  突出部、１１ｃ  傾斜面、１２  ガイド板、１２ａ  ガイド孔。
【図１】
0005441759.tif 000002
【図２】
0005441759.tif 000003
【図３】
0005441759.tif 000004
【図４】
0005441759.tif 000005
【図５】
0005441759.tif 000006
【図６】
0005441759.tif 000007
【図７】
0005441759.tif 000008
【図８】
0005441759.tif 000009
【図９】
0005441759.tif 000010
【図１０】
0005441759.tif 000011